(57)【要約】【課題】デュアル接続性展開において予期せぬ結果が生じた場合に、それらに対処する手法を提供すること。【解決手段】ユーザ機器の方法は、アクセス階層無線ベアラの修正を指示するトリガを受信すると、関連する非アクセス階層ベアラの解放を防止するステップを含む。このようにして、アクセス階層またはデータ無線ベアラが修正されるように指示されるときに（そのベアラについてのセキュリティ証明書のアップデートが必要であるときに行われ得るように）、関連する非アクセス階層ベアラが、通信を中断させることなく、またはデータを損失することなくセキュリティ証明書のアップデートが行われることを可能にするために保持されてもよい。【選択図】図６
2019097190.tif 000002
【特許請求の範囲】
【請求項１】
ユーザ機器の方法であって、
アクセス階層無線ベアラの修正を指示するトリガを受信すると、関連する非アクセス階層ベアラを保持するステップと、
前記トリガに応答して、アップデートされたセキュリティ証明書を有するように前記アクセス階層無線ベアラを修正するステップと、
を含み、
前記修正するステップは、アップデートされたセキュリティ証明書を用いたパケット・データ収束プロトコル層の再確立を含み、
前記パケット・データ収束プロトコル層の前記再確立は、パケット・データ収束プロトコルのデータ・パケットとシーケンス番号とを維持する、方法。
【請求項２】
前記トリガは、前記関連する非アクセス階層ベアラの解放が防止されるべきであることを示す表示を提供する、請求項１に記載の方法。
【請求項３】
前記保持するステップは、前記アクセス階層無線ベアラを提供するアクセス階層から、前記関連する非アクセス階層ベアラを提供する非アクセス階層への、前記関連する非アクセス階層ベアラの解放を指示する指示の送信を防止するステップを含む、請求項１または２に記載の方法。
【請求項４】
前記修正するステップは、アクセス階層プロトコル層の再確立とリセットとのうちの一方により、前記アクセス階層無線ベアラを解放し、再確立するステップとを含む、請求項１に記載の方法。
【請求項５】
前記修正するステップは、
データ・パケットをフラッシュするための無線リンク制御レイヤの再確立と、
媒体アクセス制御レイヤのリセットと、
物理プロトコル層のリセットと、
を含む、請求項１乃至４のいずれか１項に記載の方法。
【請求項６】
前記アクセス階層無線ベアラの前記修正するステップ中に、前記関連する非アクセス階層ベアラの識別子を維持するステップを含む、請求項１乃至５のいずれか１項に記載の方法。
【請求項７】
アップデートされたセキュリティ証明書を用いて、前記関連する非アクセス階層ベアラの前記識別子を、前記アクセス階層無線ベアラに関連付けるステップを含む、請求項６に記載の方法。
【請求項８】
前記トリガに応答して、
前記ユーザ機器によって正しく受信される最後のシーケンシャル・パケット・データ収束プロトコルのデータ・パケットについての表示と、
前記ユーザ機器によって受信されることに失敗したパケット・データ収束プロトコルのパケット・データ・ユニットについての表示と、
のうちの少なくとも一方を提供するステップを含む、請求項１乃至７のいずれか１項に記載の方法。
【請求項９】
アクセス階層無線ベアラの修正を指示するトリガを受信すると、関連する非アクセス階層ベアラを保持し、前記トリガに応答して、アップデートされたセキュリティ証明書を有するように前記アクセス階層無線ベアラを修正するように動作可能なロジック
を備えており、
前記ロジックは、アップデートされたセキュリティ証明書を用いてパケット・データ収束プロトコル層の再確立を引き起こすことにより修正するように動作可能であり、
前記パケット・データ収束プロトコル層の前記再確立は、パケット・データ収束プロトコルのデータ・パケットと、シーケンス番号とを維持する、ユーザ機器。
【請求項１０】
基地局の方法であって、
アクセス階層無線ベアラの修正を指示するトリガを受信すると、関連する非アクセス階層ベアラを保持するステップと、
前記トリガに応答して、アップデートされたセキュリティ証明書を有するように前記アクセス階層無線ベアラを修正するステップと、
を含み、
前記修正するステップは、アップデートされたセキュリティ証明書を用いたパケット・データ収束プロトコル層の再確立を含み、
前記パケット・データ収束プロトコル層の前記再確立は、パケット・データ収束プロトコルのデータ・パケットと、シーケンス番号とを維持する、方法。
【請求項１１】
アクセス階層無線ベアラの修正を指示するトリガを受信すると、関連する非アクセス階層ベアラを保持し、前記トリガに応答して、アップデートされたセキュリティ証明書を有するように前記アクセス階層無線ベアラを修正するように動作可能なロジック
を備えており、
前記ロジックは、アップデートされたセキュリティ証明書を用いてパケット・データ収束プロトコル層の再確立により修正するように動作可能であり、
前記パケット・データ収束プロトコル層の前記再確立は、パケット・データ収束プロトコルのデータ・パケットと、シーケンス番号とを維持する、基地局。
【請求項１２】
コンピュータ上で実行されるとき、請求項１乃至８および請求項１０のいずれか１項に記載の方法ステップを実行するように動作可能なコンピュータ・プログラム。
【発明の詳細な説明】
【技術分野】
【０００１】
本発明は、ユーザ機器の方法と、ユーザ機器と、基地局の方法と、基地局と、コンピュータ・プログラム製品とに関する。
【背景技術】
【０００２】
ワイヤレス電気通信システムが知られている。そのようなシステムにおいては、ユーザ機器（例えば、モバイル電話）として知られているモバイル通信デバイスは、ネットワーク・プロバイダによって提供される基地局と通信するように動作可能である。
【０００３】
知られているワイヤレス電気通信システムにおいては、無線カバレッジが、セルとして知られているエリア内で、モバイル電話などのネットワーク接続可能デバイス、またはアイパッド（ｉＰａｄ）や他の類似したタブレットなどのワイヤレス・デバイスに対して提供される。基地局が、無線カバレッジを提供するために各セルの中に位置する。一般的に、各セルの中のネットワーク接続可能デバイスは、基地局から情報およびデータを受信し、また基地局に対して情報およびデータを送信するように動作可能である。
【０００４】
ユーザ機器は、ワイヤレス通信システムを通してローミングする。ユーザ機器に広域のカバレッジを提供するために、いくつかの基地局が設けられ、地理的に分散されている。
【０００５】
ユーザ機器が、基地局によってサービスされるエリア内にあるときに、関連する無線リンク上でユーザ機器と基地局との間で通信が確立され得る。各基地局は、一般的に、サービスの地理的エリア内でいくつかのセクタをサポートする。一般的に、基地局内の異なるアンテナが、それぞれの関連するセクタをサポートする。各基地局は、複数のアンテナを有する。
【０００６】
従来の基地局は、比較的大きな地理的エリアの中でカバレッジを提供し、またこれらのセルは、多くの場合に、マクロ・セルと称される。異機種ネットワーク（ＨｅｔＮｅｔ）を提供することが可能であり、ここでは、より小さなサイズのセルが、マクロ・セル内に提供される。そのようなより小さなサイズのセルは、時として、マイクロ・セル、ピコ・セル、またはフェムト・セルと称されることもある。スモール・セルを確立する１つのやり方は、マクロ・セルのカバレッジ・エリア内に比較的限られたレンジを有するカバレッジを提供するスモール・セル基地局を提供することである。スモール・セル基地局の送信電力は、比較的低く、またそれゆえに、各スモール・セルは、マクロ・セルのカバレッジ・エリアに比べて小さなカバレッジ・エリア提供し、例えば、オフィスまたは住居を対象とする。
【０００７】
そのようなスモール・セルは一般的に、マクロ・セルによって提供される通信カバレッジが不十分である場合に、あるいはユーザがスモール・セル基地局によりローカルに提供される代替的な通信リンクを使用し、コア・ネットワークと通信し、かつ／またはネットワーク内の容量もしくはユーザ・スループットを増大させることを望む場合に、提供される。
【０００８】
ワイヤレス通信ネットワークにおけるスモール・セルの展開は、高いトラフィック・エリア、例えば、いわゆるホット・スポット・エリアにおける容量を取り扱うことに関連してネットワークを支援することができる。ネットワークの高いトラフィック・エリアに位置している１つまたは複数のスモール・セルに対するトラフィックの負荷を軽減する能力は、とりわけ、ネットワーク・オペレータにとって有用であり得る。いくつかの場合においては、「デュアル接続性」は、ユーザが、例えば、マクロ・セル基地局やスモール・セル基地局など、２つの基地局との通信を可能にするように構成されるように提供され得る。いくつかのデュアル接続性実装形態が構成可能であり、異なる利点をそれぞれが提供することができる。
【０００９】
デュアル接続性を用いて、ユーザ機器は、マスタ基地局（ＭｅＮＢ：ｍａｓｔｅｒ  ｂａｓｅ  ｓｔａｔｉｏｎ）によって提供されるマクロ・セルと、二次基地局（ＳｅＮＢ：ｓｅｃｏｎｄａｒｙ  ｂａｓｅ  ｓｔａｔｉｏｎ）によって提供されるスモール・セルとの両方に接続される。現在では、１Ａと、３Ｃと考えられている２つのアーキテクチャのオプションが存在している。図１は、ベアラについての無線プロトコル・スタックを示すものである。図２は、アーキテクチャのオプション１Ａを示すものであり、ここでは、ベアラは、完全にスモール・セルにおいて取り扱われる（すなわち、ベアラについてのすべての無線アクセス・ネットワーク（ＲＡＮ：ｒａｄｉｏ  ａｃｃｅｓｓ  ｎｅｔｗｏｒｋ）プロトコル層と、パケット・データ収束プロトコル（ＰＤＣＰ：ｐａｃｋｅｔ  ｄａｔａ  ｃｏｎｖｅｒｇｅｎｃｅ  ｐｒｏｔｏｃｏｌ）と、無線リンク制御（ＲＬＣ：ｒａｄｉｏ  ｌｉｎｋ  ｃｏｎｔｒｏｌ）と、媒体アクセス制御（ＭＡＣ：ｍｅｄｉｕｍ  ａｃｃｅｓｓ  ｃｏｎｔｒｏｌ）とは、ＳｅＮＢの中にある）。ベアラについてのセキュリティは、ＳｅＮＢにおけるＰＤＣＰレイヤの中で取り扱われる。図３は、ベアラのために使用される暗号化アルゴリズムを示すものである。暗号化アルゴリズムは、入力としてカウント（ＣＯＵＮＴ）（またはパケット番号）を使用する。カウントは、２つの部分、ハイパー・フレーム番号（ＨＦＮ：ｈｙｐｅｒ  ｆｒａｍｅ  ｎｕｎｂｅｒ）と、シーケンス番号（ＳＮ：ｓｅｑｕｅｎｃｅ  ｎｕｍｂｅｒ）とからなる。ＳＮは、各パケットの中に含まれる。ＨＦＮは、パケット・サイズを低減させるために含まれてはいないが、それは、代わりに、ユーザ機器およびネットワーク内に維持される。たとえシーケンス番号サイズよりも少ないパケットの数が失われたとしても、これはネットワークとユーザ機器との中のカウントの同期化を維持する。暗号化アルゴリズムに対する別の入力は、５ビットのベアラ（ＢＥＡＲＥＲ）識別情報である。
【発明の概要】
【発明が解決しようとする課題】
【００１０】
デュアル接続性展開は利点を提供することができるが、そのような展開の予期せぬ結果が生じる可能性がある。これらの結果に対処することが望ましい。
【課題を解決するための手段】
【００１１】
第１の態様によれば、アクセス階層無線ベアラの修正を指示するトリガを受信すると、関連する非アクセス階層ベアラの解放を防止するステップを含むユーザ機器の方法が提供される。
【００１２】
第１の態様は、同じカウント値と、ベアラ値とが、同じキーとともに使用されるべきではなく、またカウント値が、ラップアラウンドするときに、新しいキーまたは他のアップデートされたセキュリティ証明書がベアラのために使用される必要があり、言い換えれば、キーがリフレッシュされる必要があることを認識している。さらに、これが、ＳｅＮＢにおいてベアラのために起こるときに、ＭｅＮＢベアラに影響を及ぼすことなく、ベアラまたはＳｅＮＢのためにキーをリフレッシュすることが望ましい。
【００１３】
第１の態様はまた、キー・リフレッシュを提供するための既存のアプローチが、欠点を有していることも認識している。１つのアプローチは、図５に示されるようにセル内ハンドオーバを使用することである。セル内ハンドオーバ中に、新しいキーが、生成される。それに応じて、セル内ハンドオーバは、キーをリフレッシュする。しかしながら、ハンドオーバは、ＭｅＮＢにおける一次セル（Ｐセル（ＰＣｅｌｌ））に関連付けられ、また既存の構成は、ＳｅＮＢを確立することはない。そのようにして、セル内ハンドオーバが、デュアル接続性の形で構成されたユーザ機器のために起こるときに、ＳｅＮＢにおけるベアラは解放され、またＭｅＮＢに対して移動されるであろう。次いで、ＳｅＮＢは、後続の再構成メッセージの中で再び追加される必要があるであろう。ＭｅＮＢに対するベアラのこの移動と、ＳｅＮＢに対して戻るベアラのこの移動とは、ベアラに対する中断を導入し、不十分なユーザ経験と、起こりえるデータ損失と、過剰な信号とをもたらす。たとえセル内ハンドオーバの一部分としてＳｅＮＢセルを導入することが考慮されたとしても、そのアプローチは、ＭｅＮＢとＳｅＮＢとの間で必要とされる信号協調の観点から複雑になるであろう。それはまた、ＭｅＮＢベアラに対する不必要な中断を引き起こすこともあろう。別のアプローチは、新しいキーを使用するために、ベアラの再構成を実行することとすることができる。以前のキーを使用することになる下位のプロトコル層において送信中のパケットが存在することになるので、これはまた、複雑でもある。そのようにして、以前のキーから新しいキーへの明確な切り替えポイントは、存在しない。また、これを導入することは、複雑になり、また既存の技法は、Ｐセル変更のためにそのようなメカニズムを使用することはない。別のアプローチは、ベアラを解放し追加することであるが、それは、図４に示されるように、既存の技法を使用するときに、より高位のレイヤにおけるベアラ（ＥＰＳベアラ）の解放をもたらす。また、それは、キー変更手順（ｒｅｋｅｙｉｎｇ  ｐｒｏｃｅｄｕｒｅ）中にデータ損失をもたらす。
【００１４】
それに応じて、ユーザ機器の方法が、提供される。本方法は、トリガを受信するステップを含むことができる。トリガは、アクセス階層無線ベアラの修正を指示することができる。本方法は、トリガが受信されるときに、関連する、または対応する非アクセス階層ベアラの解放が防止され、省略される可能性があり、または起こるのに失敗する可能性があることを含むことができる。このようにして、アクセス階層またはデータの無線ベアラが解放されるように指示されるときに（そのベアラのためのセキュリティ証明書が、アップデートされる必要があるときに行われ得るように）、関連する非アクセス階層ベアラは、非アクセス階層ベアラの解放が音声コールなどのユーザ・サービスを脱落させること、またはデータの損失をもたらす可能性があるので、セキュリティ証明書のアップデートが通信を中断することなく行われることを可能にするために、保持されることもある。
【００１５】
一実施形態においては、トリガは、関連する非アクセス階層ベアラの解放が防止されるべきであることを示す表示を提供する。それに応じて、ある表示は、アクセス階層無線ベアラが修正されるときに、非アクセス階層ベアラの解放が防止されるべきであることを示すトリガによって提供されることもある。
【００１６】
一実施形態においては、防止するステップは、アクセス階層無線ベアラを提供するアクセス階層から、関連する非アクセス階層ベアラを提供する非アクセス階層へと、関連する非アクセス階層ベアラの解放を指示する指示の送信を防止するステップを含んでいる。それに応じて、アクセス階層と非アクセス階層との間の指示または信号が生じないようにされ得る。
【００１７】
一実施形態においては、本方法は、トリガに応答して、アップデートされたセキュリティ特性を有するアクセス階層無線ベアラを修正するステップを含んでいる。それに応じて、アクセス階層無線ベアラは、トリガに応答して、アップデートされたセキュリティ証明書を用いて修正され、または解放され、また再確立されることもある。
【００１８】
一実施形態においては、アクセス階層無線ベアラを修正するステップは、アクセス階層無線ベアラに関連するプロトコル層のうちの少なくともいくつかのプロトコル層内のデータ・パケットをフラッシュさせる。それに応じて、アクセス階層無線ベアラのいくつかのまたはすべてのプロトコル層内のいくつかの、またはすべてのデータ・パケットは、アクセス階層無線ベアラの修正または解放と再確立との間にフラッシュされることもある。
【００１９】
一実施形態においては、修正するステップは、アクセス階層プロトコル層の再確立とリセットとのうちの一方によって、アクセス階層無線ベアラを解放し、再確立するステップを含む。それに応じて、アクセス階層プロトコル層のうちのいくつかは、再確立されることもあり、またいくつかは、リセットされることもある。
【００２０】
一実施形態においては、修正するステップは、データ・パケットをフラッシュするための、無線リンク制御レイヤの再確立と、媒体アクセス制御レイヤのリセットと、物理プロトコル層のリセットとを含む。それゆえに、無線リンク制御レイヤと、媒体アクセス制御レイヤと、物理プロトコル層とは、データについてフラッシュされることもある。
【００２１】
一実施形態においては、修正するステップは、アップデートされたセキュリティ特性を有するパケット・データ収束プロトコル層の再確立を含む。それに応じて、パケット・データ収束プロトコル層は、アップデートされたセキュリティ証明書を用いて再確立されることもある。
【００２２】
一実施形態においては、アップデートされたセキュリティ特性は、アクセス階層無線ベアラのアップデートされた識別子と、アップデートされたキーについての表示とのうちの少なくとも一方を含んでいる。それに応じて、アップデートされたセキュリティ証明書は、データの無線ベアラのアップデートされた識別子、および／またはアップデートされた１つまたは複数のキーとすることができる。
【００２３】
一実施形態においては、パケット・データ収束プロトコル層の再確立は、パケット・データ収束プロトコルのデータ・パケットと、シーケンス番号とを維持する。それに応じて、パケット・データ収束プロトコル層の再確立中に、パケット・データ収束プロトコルのデータ・パケットとそれらのシーケンス番号とが、維持されることもある。
【００２４】
一実施形態においては、本方法は、アクセス階層無線ベアラの修正中に、関連する非アクセス階層ベアラの識別子を維持するステップを含んでいる。それに応じて、非アクセス階層ベアラの識別子は、維持され、保たれ、または保持されることもある。
【００２５】
一実施形態においては、本方法は、アップデートされたセキュリティ特性を有するアクセス階層無線ベアラに、関連する非アクセス階層ベアラの識別子を関連付けるステップを含んでいる。それに応じて、アップデートされたセキュリティ証明書を有する新しく確立されたアクセス階層無線ベアラは、解放されないように防止された非アクセス階層ベアラに関連付けられ、またはリンクされることもある。
【００２６】
一実施形態においては、本方法は、トリガに応答して、ユーザ機器によって正しく受信される最後のシーケンシャル・パケット・データ収束プロトコルのデータ・パケットについての表示を提供するステップを含んでいる。それに応じて、最後の正しく受信されたデータ・パケットについての表示は、ユーザ機器により、ネットワークに対して提供され、または送信されることもある。
【００２７】
一実施形態においては、本方法は、トリガに応答して、ユーザ機器によって受信されることに失敗したパケット・データ収束プロトコルのパケット・データ・ユニットについての表示を提供するステップを含んでいる。それに応じて、ユーザ機器によって受信されることに失敗したこれらのパケットについての表示は、ユーザ機器により、ネットワークに対して提供され、または送信されることもある。
【００２８】
一実施形態においては、本方法は、トリガに応答して、複数のアクセス階層無線ベアラを解放するステップと、関連する非アクセス階層ベアラの解放を防止するステップとを含む。それに応じて、複数のアクセス階層無線ベアラが解放されることもあり、また関連する非アクセス階層ベアラが保持されることもある。一実施形態においては、複数のベアラは、ＳｅＮＢのすべてのこれらの関連するベアラを含んでいる。
【００２９】
一実施形態においては、トリガは、別のネットワーク・ノードから受信されるメッセージと、ユーザ機器によって生成されるセキュリティ・アップデート信号とのうちの一方を含んでいる。それに応じて、トリガは、メッセージ、またはセキュリティ・アップデート信号を含むことができる。一般的には、たとえメッセージが、ＳｅＮＢに起源を有している可能性があるとしても、メッセージは、デュアル接続性構成についてのＭｅＮＢから受信されるであろう。
【００３０】
一実施形態においては、メッセージは、アップデートされたセキュリティ特性を示している。
【００３１】
第２の態様によれば、アクセス階層無線ベアラの修正を指示するトリガを受信すると、関連する非アクセス階層ベアラの解放を防止するように動作可能なロジックを備えているユーザ機器が、提供されている。
【００３２】
一実施形態においては、トリガは、関連する非アクセス階層ベアラの解放が防止されるべきであることを示す表示を提供する。
【００３３】
一実施形態においては、ロジックは、アクセス階層無線ベアラを提供するアクセス階層から、関連する非アクセス階層ベアラを提供する非アクセス階層への、関連する非アクセス階層ベアラの解放を指示する指示の送信を防止するように動作可能である。
【００３４】
一実施形態においては、ロジックは、トリガに応答して、アップデートされたセキュリティ特性を有するアクセス階層無線ベアラを修正するように動作可能である。
【００３５】
一実施形態においては、ロジックは、アクセス階層無線ベアラに関連するプロトコル層のうちの少なくともいくつかのプロトコル層内のデータ・パケットをフラッシュさせるように動作可能である。
【００３６】
一実施形態においては、ロジックは、アクセス階層プロトコル層の再確立とリセットとのうちの一方を引き起こすことにより、アクセス階層無線ベアラを解放し、再確立することにより修正するように動作可能である。
【００３７】
一実施形態においては、ロジックは、データ・パケットをフラッシュするために、無線リンク制御レイヤの再確立と、媒体アクセス制御レイヤのリセットと、物理プロトコル層のリセットとを引き起こすことにより修正するように動作可能である。
【００３８】
一実施形態においては、ロジックは、アップデートされたセキュリティ特性を有するパケット・データ収束プロトコル層の再確立を引き起こすことにより修正するように動作可能である。
【００３９】
一実施形態においては、アップデートされたセキュリティ特性は、アクセス階層無線ベアラのアップデートされた識別子と、アップデートされたキーについての表示とのうちの少なくとも一方を含んでいる。その表示は、アップデートされたキーを生成する指示を含むことができることが理解されよう。
【００４０】
一実施形態においては、パケット・データ収束プロトコル層の再確立は、パケット・データ収束プロトコルのデータ・パケットと、シーケンス番号とを維持する。
【００４１】
一実施形態においては、ロジックは、関連する非アクセス階層ベアラの識別子を維持するように動作可能である。
【００４２】
一実施形態においては、ロジックは、アップデートされたセキュリティ特性を有するアクセス階層無線ベアラに、関連する非アクセス階層ベアラの識別子を関連付けるように動作可能である。
【００４３】
一実施形態においては、ロジックは、トリガに応答して、ユーザ機器によって正しく受信される最後のシーケンシャル・パケット・データ収束プロトコルのデータ・パケットについての表示を提供するように動作可能である。
【００４４】
一実施形態においては、ロジックは、トリガに応答して、ユーザ機器によって受信されることに失敗したパケット・データ収束プロトコルのパケット・データ・ユニットについての表示を提供するように動作可能である。
【００４５】
一実施形態においては、ロジックは、トリガに応答して、複数のアクセス階層無線ベアラを解放し、また関連する非アクセス階層ベアラの解放を防止するように動作可能である。
【００４６】
一実施形態においては、トリガは、別のネットワーク・ノードから受信されるメッセージと、ユーザ機器によって生成されるセキュリティ・アップデート信号とのうちの一方を含んでいる。
【００４７】
一実施形態においては、メッセージは、アップデートされたセキュリティ特性を示す。
【００４８】
第３の態様によれば、アクセス階層無線ベアラの修正を指示するトリガを受信すると、関連する非アクセス階層ベアラの解放を防止するステップを含む基地局の方法が、提供されている。トリガは、基地局内で生成されることもあることが理解されよう。
【００４９】
一実施形態においては、トリガは、関連する非アクセス階層ベアラの解放が防止されるべきであることを示す表示を提供する。
【００５０】
一実施形態においては、防止するステップは、アクセス階層無線ベアラを提供するアクセス階層から、関連する非アクセス階層ベアラを提供する非アクセス階層へと、関連する非アクセス階層ベアラの解放を指示する指示の送信を防止するステップを含んでいる。その指示は、コア・ネットワークに対して送信されないようにされ得ることが理解されよう。
【００５１】
一実施形態においては、本方法は、トリガに応答して、アップデートされたセキュリティ特性を有するアクセス階層無線ベアラを修正するステップを含んでいる。
【００５２】
一実施形態においては、アクセス階層無線ベアラを修正するステップは、アクセス階層無線ベアラに関連するプロトコル層のうちの少なくともいくつかのプロトコル層内のデータ・パケットをフラッシュさせる。
【００５３】
一実施形態においては、修正するステップは、アクセス階層プロトコル層の再確立と、リセットとのうちの一方により、アクセス階層無線ベアラを解放し、再確立するステップを含む。
【００５４】
一実施形態においては、修正するステップは、データ・パケットをフラッシュするための、無線リンク制御レイヤの再確立と、媒体アクセス制御レイヤのリセットと、物理プロトコル層のリセットとを含む。
【００５５】
一実施形態においては、修正するステップは、アップデートされたセキュリティ特性を有するパケット・データ収束プロトコル層の再確立を含んでいる。
【００５６】
一実施形態においては、アップデートされたセキュリティ特性は、アクセス階層無線ベアラのアップデートされた識別子と、アップデートされたキーについての表示とのうちの少なくとも一方を含んでいる。
【００５７】
一実施形態においては、パケット・データ収束プロトコル層の再確立は、パケット・データ収束プロトコルのデータ・パケットと、シーケンス番号とを維持する。
【００５８】
一実施形態においては、本方法は、アクセス階層無線ベアラの修正するステップ中に、関連する非アクセス階層ベアラの識別子を維持するステップを含んでいる。
【００５９】
一実施形態においては、本方法は、アップデートされたセキュリティ特性を有するアクセス階層無線ベアラに、関連する非アクセス階層ベアラの識別子を関連付けるステップを含んでいる。
【００６０】
一実施形態においては、本方法は、トリガに応答して、複数のアクセス階層無線ベアラを解放するステップと、関連する非アクセス階層ベアラの解放を防止するステップとを含む。これらのベアラは、ＳｅＮＢベアラのうちのいくつかまたはすべてを含み得ることが理解されよう。
【００６１】
一実施形態においては、トリガは、別のネットワーク・ノードから受信されるメッセージと、基地局によって生成されるセキュリティ・アップデート信号とのうちの一方を含んでいる。
【００６２】
一実施形態においては、メッセージは、アップデートされたセキュリティ特性を示す。
【００６３】
一実施形態においては、本方法は、ユーザ機器によって正しく受信される最後のシーケンシャル・パケット・データ収束プロトコルのデータ・パケットについての表示を受信するステップと、アップデートされたセキュリティ特性を有するアクセス階層無線ベアラを使用して、ユーザ機器によって正しく受信される最後のシーケンシャル・パケット・データ収束プロトコルのデータ・パケットからの送信を再開するステップとを含む。
【００６４】
一実施形態においては、本方法は、ユーザ機器によって受信されることに失敗したパケット・データ収束プロトコルのパケット・データ・ユニットについての表示を受信するステップと、アップデートされたセキュリティ特性を有するアクセス階層無線ベアラを使用して、ユーザ機器によって受信されることに失敗したパケット・データ収束プロトコルのパケット・データ・ユニットから再送信するステップとを含む。
【００６５】
第４の態様によれば、アクセス階層無線ベアラの修正を指示するトリガを受信すると、関連する非アクセス階層ベアラの解放を防止するように動作可能なロジックを備えている基地局が、提案されている。
【００６６】
一実施形態においては、トリガは、関連する非アクセス階層ベアラの解放が防止されるべきであることを示す表示を提供する。
【００６７】
一実施形態においては、ロジックは、アクセス階層無線ベアラを提供するアクセス階層から、関連する非アクセス階層ベアラを提供する非アクセス階層へと、関連する非アクセス階層ベアラの解放を指示する指示の送信を防止するように動作可能である。
【００６８】
一実施形態においては、ロジックは、トリガに応答して、アップデートされたセキュリティ特性を有するアクセス階層無線ベアラを修正するように動作可能である。
【００６９】
一実施形態においては、ロジックは、アクセス階層無線ベアラに関連するプロトコル層のうちの少なくともいくつかの内部のデータ・パケットをフラッシュさせるように動作可能である。
【００７０】
一実施形態においては、ロジックは、アクセス階層プロトコル層の再確立と、リセットとのうちの一方により、修正するように動作可能である。
【００７１】
一実施形態においては、ロジックは、データ・パケットをフラッシュするために、無線リンク制御レイヤの再確立と、媒体アクセス制御レイヤのリセットと、物理プロトコル層のリセットとにより、修正するように動作可能である。
【００７２】
一実施形態においては、ロジックは、アップデートされたセキュリティ特性を有するパケット・データ収束プロトコル層の再確立により、修正するように動作可能である。
【００７３】
一実施形態においては、アップデートされたセキュリティ特性は、アクセス階層無線ベアラのアップデートされた識別子と、アップデートされたキーについての表示とのうちの少なくとも一方を含んでいる。
【００７４】
一実施形態においては、パケット・データ収束プロトコル層の再確立は、パケット・データ収束プロトコルのデータ・パケットとシーケンス番号とを維持する。
【００７５】
一実施形態においては、ロジックは、関連する非アクセス階層ベアラの識別子を維持するように動作可能である。
【００７６】
一実施形態においては、ロジックは、アップデートされたセキュリティ特性を有するアクセス階層無線ベアラに、関連する非アクセス階層ベアラの識別子を関連付けるように動作可能である。
【００７７】
一実施形態においては、ロジックは、トリガに応答して、複数のアクセス階層無線ベアラを解放し、また関連する非アクセス階層ベアラの解放を防止するように動作可能である。これらのベアラは、ＳｅＮＢベアラのうちのいくつかまたはすべてを含むことができることが理解されよう。
【００７８】
一実施形態においては、トリガは、別のネットワーク・ノードから受信されるメッセージと、基地局によって生成されるセキュリティ・アップデート信号とのうちの一方を含んでいる。
【００７９】
一実施形態においては、メッセージは、アップデートされたセキュリティ特性を示す。
【００８０】
一実施形態においては、ロジックは、ユーザ機器によって正しく受信される最後のシーケンシャル・パケット・データ収束プロトコルのデータ・パケットについての表示を受信し、またアップデートされたセキュリティ特性を有するアクセス階層無線ベアラを使用して、ユーザ機器によって正しく受信される最後のシーケンシャル・パケット・データ収束プロトコルのデータ・パケットからの送信を再開するように動作可能である。
【００８１】
一実施形態においては、ロジックは、ユーザ機器によって受信されることに失敗したパケット・データ収束プロトコルのパケット・データ・ユニットについての表示を受信し、またアップデートされたセキュリティ特性を有するアクセス階層無線ベアラを使用して、ユーザ機器によって受信されることに失敗したパケット・データ収束プロトコルのパケット・データ・ユニットから再送信するように動作可能である。
【００８２】
第５の態様によれば、コンピュータの上で実行されるときに、第１の態様または第３の態様の方法ステップを実行するように動作可能なコンピュータ・プログラム製品が、提供されている。
【００８３】
さらなる特定の態様と好ましい態様とは、添付の独立請求項および従属請求項の形で、提示される。従属請求項の特徴は、必要に応じて独立請求項の特徴と組み合わされることもあり、また特許請求の範囲において明示的に提示されるこれら以外の組合せの形で組み合わされることもある。
【００８４】
装置の特徴が、ある機能を提供するように動作可能であるように説明される場合に、これは、その機能を提供する、またはその機能を提供するように、適合されており、または構成されている装置の特徴を含むことが理解されよう。
【００８５】
本発明の実施形態は、次に、添付の図面を参照して、さらに説明されるであろう。
【図面の簡単な説明】
【００８６】
【図１】ベアラについての無線プロトコル・スタックを示す図である。
【図２】アーキテクチャのオプション１Ａを示す図である。
【図３】ベアラのために使用される暗号化アルゴリズムを示す図である。
【図４】無線ベアラを解放するための既存の技法を示す図である。
【図５】既存のセル内のハンドオーバを示す図である。
【図６】上位レイヤに対してどのような表示も提供することなく、新しいセキュリティ証明書を用いて解放され、また再確立されているベアラを示す図である。
【図７】デュアル接続性を有する上位レイヤに対してどのような表示も提供することなく、新しいセキュリティ証明書を用いて解放され、また再確立されているベアラを示す図である。
【図８】ＳｅＮＢにおけるラップアラウンドのために使用されるメッセージングを示す図である。
【図９】ＰＤＣＰレイヤを維持するときに使用されるメッセージングを示す図である。
【図１０】下位レイヤがリセットされる間に、ＰＤＣＰレイヤが維持されるが、再確立されることを示す図である。
【発明を実施するための形態】
【００８７】
どのようであれより詳細に実施形態を考察する前に、最初に概説が、提供されるであろう。実施形態は、キー・リフレッシュやセキュリティ構成に対する他の変更などのベアラ・セキュリティ・アップデートが、その基地局または別の基地局における通信を中断することまたはユーザ機器にデータを損失させることなしに、基地局の内部で実行されることを可能にする構成を提供している。これは、基地局ベアラの追加と解放とについての修正されたバージョンを実行することにより、達成される。これは、例えば、マスタ基地局（ＭｅＮＢ）における、または二次基地局（ＳｅＮＢ）におけるキー・リフレッシュが、ＭｅＮＢにおける通信を中断すること、またはどのようなユーザ・データも損失することなしに、実行されることを可能にするであろう。
【００８８】
図６に示されるように、１つのアプローチにおいては、ベアラは、上位レイヤに対してどのような表示も提供することなしに、新しいセキュリティ証明書（新しいキーなど）を用いて解放され、また再確立される。とりわけ、アクセス階層ベアラのプロトコル層は、解放され、また再確立される可能性があるが、非アクセス階層ベアラのプロトコル層は、変更されないままである。これは、上位レイヤに対する影響を回避するために、非アクセス階層ベアラの損失を防止する。アクセス階層ベアラの残りが解放されるが、アクセス階層の中の進化型パケット・システム（ＥＰＳ：ｅｖｏｌｖｅｄ  ｐａｃｋｅｔ  ｓｙｓｔｅｍ）ベアラ識別子は、解放されない。この保持されたＥＰＳベアラ識別情報を使用して、非アクセス階層レイヤにおける既存のベアラに、新しく追加されたアクセス階層ベアラをリンクさせる。さらに、ユーザ機器によって正しく受信されてきているシーケンスにおける最後のパケットのパケット・データ収束プロトコル（ＰＤＣＰ：ｐａｃｋｅｔ  ｄａｔａ  ｃｏｎｖｅｒｇｅｎｃｅ  ｐｒｏｔｏｃｏｌ）のシーケンス番号が、交換されることもある。例えば、シーケンスからのパケットが無くなっている場合、そのときには、無くなっているパケットまでのそのシーケンスにおけるすべての正しく受信されたパケットのシーケンス番号、またはシーケンスの中の受信されなかったパケットのシーケンス番号が提供され、その結果、無くなっているパケットが、再送信される可能性がある。このパケットのシーケンス番号よりも大きなシーケンス番号を用いて送信されたＰＤＣＰデータ・パケットが、再送信される。それに応じて、たとえいくつかの受信されたデータ・パケットが、反復される可能性があるとしても、データ・パケットは、失われておらず、または順番がずれてもいない。
【００８９】
図９および１０に示されるように、別の構成においては、ベアラに関連するアクセス階層のＰＤＣＰレイヤは、維持されるが再確立されるのに対して、下位無線リンク制御（ＲＬＣ）レイヤは、再確立され、媒体アクセス制御（ＭＡＣ）レイヤおよび物理プロトコル層は、リセットされる。ＲＬＣレイヤを再確立すること、およびＭＡＣレイヤをリセットすることは、これらのレイヤにおいて送信中の任意のパケットをクリアし、またそれによって異なるキーなど、異なるセキュリティ証明書を用いて暗号化されるデータ・パケットを処理する複雑さを取り除く。ＰＤＣＰレイヤが、維持されるが再確立されるので、ＰＤＣＰレイヤの下位レイヤは、ＰＤＣＰデータ・パケットとシーケンス番号とを維持しながらクリアされる。それゆえに、データ・パケットは、このアプローチを使用して失われない。
【００９０】
新しいベアラについての新しいセキュリティ証明書または関連付けを提供するために、多数の異なるやり方が想定される。例えば、新しく生成されたベアラのために新しいデータ無線ベアラ識別子（ＤＲＢＩＤ：ｄａｔａ  ｒａｄｉｏ  ｂｅａｒｅｒ  ｉｄｅｎｔｉｆｉｅｒ）を使用することが、可能である。同様に、いくつかのあらかじめ指定された規則に基づいて、プロセス中に、ネットワークとユーザ機器とにおいて自律的に新しいキーを導き出すことが、可能である。また、新しいキー生成パラメータが、ユーザ機器に対して信号で伝えられ、次いで、これを使用して、新しいキーを導き出す。
【００９１】
ベアラ変更
図６に示されるように、１つのアプローチにおいては、ベアラについてのカウントが、ラップアラウンドしようとしているときに、ネットワークは、そのベアラの解放について上位レイヤに通知することなしに、ユーザ機器がベアラを解放し、また追加することを行うべきであるというユーザ機器に対する明示的な表示と一緒に、ベアラを解放し、また追加するようにユーザ機器に通知する。ベアラが、次いで解放されるときに、送信中のすべてのデータは、フラッシュされる。新しいベアラが確立されるときに、新しいキーが使用され、また次いで考慮に入れられ、またデータ・パケットは、次いで新しいキーを使用して暗号化される。
【００９２】
図７に示されるように、１つのアプローチにおいては、ベアラのラップアラウンドは、アーキテクチャ１ａについてのＳｅＮＢにおいて、ベアラに関連している可能性がある。これが起こるときに、ＳｅＮＢは、ＭｅＮＢを通して、ＮＡＳに通知せずに、ベアラを解放し、また再確立するように、ユーザ機器に直接的に、または間接的に通知する。
【００９３】
図７に示されるように、１つのアプローチにおいては、ネットワークからの表示はまた、ベアラが解放される前に、最後に成功裏に転送されたＰＤＣＰデータ・パケットのシーケンス番号の交換を要求し、またはトリガすることもできる。プロトコル層は、上記で説明されたやり方に類似したやり方で、解放され、また再セットアップされ、それによってユーザ・データのすべてを解放している。ベアラが再確立されるときに、新しいキーが考慮に入れられる。次いで送信エンティティは、第１の転送に失敗したＰＤＣＰデータ・パケットからデータを送信することを開始して、失われたデータが存在しないことを保証する。これは、以前に順序が乱れて受信されたいくつかのＰＤＣＰデータ・パケットを反復することをもたらす可能性がある。このアプローチはまた、ＭｅＮＢまたはＳｅＮＢにおけるベアラについてのカウントが、ラップアラウンドするときに使用される可能性もある。図８は、ＳｅＮＢにおけるラップアラウンドのために使用されるメッセージングを示すものである。
【００９４】
１つのアプローチにおいては、アクセス階層の下位レイヤだけがリセットされる。とりわけ、ＲＬＣレイヤが再確立され、またＭＡＣレイヤがリセットされ、またこれらのレイヤの中で送信中のデータだけがフラッシュされる。ＰＤＣＰレイヤは、新しいキーなどのセキュリティ証明書を用いて再確立される。それらのカウントと一緒に、すべての受信されたデータ・パケットが保持される。ＰＤＣＰステータス報告が送信されて、ユーザ機器における成功裏に受信されたデータ・パケットについて送信ノードに通知する。これは、ＰＤＣＰ再確立の直前または直後に送信されることもある。次いで、送信ノードは、成功裏に受信されなかったすべてのパケットを送信する。データの損失またはパケットの反復が存在しないので、これは最適なアプローチである。図９は、ＰＤＣＰレイヤを維持するときに、使用されるメッセージングを示すものである。
【００９５】
上記で述べられたアプローチのうちの任意のものが、ＭｅＮＢまたはＳｅＮＢにおけるベアラのうちの１つがラップアラウンドするときに、ＭｅＮＢまたはＳｅＮＢにおけるすべてのベアラのために一緒に使用される可能性があることが理解されよう。
【００９６】
また、キー・リフレッシュが、カウント・ラップアラウンド以外の理由によってトリガされ得ることも理解されよう。これは、例えば、コア・ネットワークからの新しいキー表示、基地局内の任意の内部の理由などである可能性がある。
【００９７】
また、ＳｅＮＢからの要求は、ユーザ機器にそのように行うように要求するＭｅＮＢに対する表示である可能性があり、またはＳｅＮＢからの要求は、ＭｅＮＢを通してユーザ機器に対して中継されるか、またはＳｅＮＢによりユーザ機器に対して直接に送信されるかのいずれかのＳｅＮＢからの要求である可能性があることも理解されよう。
【００９８】
それに応じて、技法は、カウントがラップアラウンドするときに、例えば、セキュリティのためのキー・リフレッシュを実行する最適化された方法を提供する。それは、他のベアラを中断することなしに、キー・リフレッシュを行うメカニズムを提供する。それが、既存の技法とは違って、他の基地局におけるベアラに対して破壊的ではないので、それはまた、適用可能でもあり、またデュアル接続性の形のユーザ機器についてより関連があることもある。
【００９９】
当業者なら、様々な上記で説明された方法のステップが、プログラムされたコンピュータによって実行され得ることを簡単に認識するであろう。本明細書においては、いくつかの実施形態はまた、プログラム記憶デバイス、例えば、デジタル・データ・ストレージ媒体を対象として含むことも意図しており、これらのプログラム記憶デバイスは、マシン読み取り可能、またはコンピュータ読み取り可能であり、また命令のマシン実行可能なプログラム、またはコンピュータ実行可能なプログラムを符号化しており、そこで、前記命令は、前記の上記で説明された方法のステップのうちのいくつかまたはすべてを実行する。プログラム記憶デバイスは、例えば、デジタル・メモリ、磁気ディスクや磁気テープなどの磁気記憶媒体、ハード・ドライブ、または光学的に読み取り可能なデジタル・データ記憶媒体とすることができる。それらの実施形態はまた、上記で説明された方法の前記ステップを実行するようにプログラムされるコンピュータを対象として含むことも意図している。
【０１００】
「プロセッサ」または「ロジック」としてラベル付けされた任意の機能ブロックを含めて、図面の中に示される様々な要素についての機能は、専用のハードウェア、ならびに適切なソフトウェアに関連してソフトウェアを実行することができるハードウェアの使用を通して提供されてもよい。プロセッサによって提供されるときに、それらの機能は、単一の専用のプロセッサによって、単一の共用のプロセッサによって、またはそれらのうちのいくつかが共用され得る複数の個別のプロセッサによって提供されてもよい。さらに、「プロセッサ」または「制御装置」、あるいは「ロジック」という用語の明示的な使用は、ソフトウェアを実行することができるハードウェアだけを排他的に意味するように解釈されるべきではなく、また限定することなく、デジタル信号プロセッサ（ＤＳＰ：ｄｉｇｉｔａｌ  ｓｉｇｎａｌ  ｐｒｏｃｅｓｓｏｒ）のハードウェアと、ネットワーク・プロセッサと、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）と、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙ）と、ソフトウェアを記憶するためのリード・オンリー・メモリ（ＲＯＭ：ｒｅａｄ  ｏｎｌｙ  ｍｅｍｏｒｙ）と、ランダム・アクセス・メモリ（ＲＡＭ：ｒａｎｄｏｍ  ａｃｃｅｓｓ  ｍｅｍｏｒｙ）と、不揮発性記憶装置とを暗黙のうちに含むことができる。他のハードウェアが、従来のものおよび／またはカスタムのものもまた、含まれる可能性がある。同様に、図面の中に示される任意のスイッチは、概念的なものにすぎない。それらの機能は、プログラム・ロジックのオペレーションを通して、専用のロジックを通して、プログラム制御と専用のロジックとの相互作用を通して、または手動によってさえも、実行される可能性があり、特定の技法は、文脈からさらに具体的に理解されるように、実装者によって選択可能である。
【０１０１】
本明細書における任意のブロック図は、本発明の原理を実施する実例となる回路の概念図を表すことが、当業者によって理解されるべきである。同様に、任意のフロー・チャートと、流れ図と、状態遷移図と、擬似コードなどとは、コンピュータ読取り可能媒体の形で実質的に表され、またそのようにしてコンピュータまたはプロセッサによって、そのようなコンピュータまたはプロセッサが明示的に示されているか否かにかかわらず、実行され得る様々なプロセスを表すことが理解されよう。
【０１０２】
説明および図面は、単に本発明の原理を示しているにすぎない。したがって、当業者なら、本明細書において明示的に説明されても、または示されてもいないが、本発明の原理を実施し、また本発明の精神および範囲内に含まれる様々な構成を考案することができるようになることが理解されよう。さらに、本明細書において列挙されるすべての例は、主として、本発明者が当技術を推進することに寄与している本発明の原理および概念を理解するに際して、読者を支援する教育上の目的のためにすぎないように明示的に意図され、またそのような具体的に列挙された例および状態だけに限定することのないように解釈されるべきである。さらに、本発明の原理、態様および実施形態を列挙している本明細書におけるすべての記述、ならびにその特定の例は、その同等物を包含することを意図している。
【図１】
2019097190.tif 000003
【図２】
2019097190.tif 000004
【図３】
2019097190.tif 000005
【図４】
2019097190.tif 000006
【図５】
2019097190.tif 000007
【図６】
2019097190.tif 000008
【図７】
2019097190.tif 000009
【図８】
2019097190.tif 000010
【図９】
2019097190.tif 000011
【図１０】
2019097190.tif 000012
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
ユーザ機器の方法であって、
アクセス階層無線ベアラの修正を指示するトリガを受信すると、関連する非アクセス階層ベアラの解放を防止するステップと、
前記トリガに応答して、アップデートされたセキュリティ特性を有する前記アクセス階層無線ベアラを修正するステップと、
を含み、
前記修正するステップは、アップデートされたセキュリティ特性を用いたパケット・データ収束プロトコル層の再確立を含み、
前記パケット・データ収束プロトコル層の前記再確立は、パケット・データ収束プロトコルのデータ・パケットとシーケンス番号とを維持する、方法。
【請求項２】
前記トリガは、前記関連する非アクセス階層ベアラの解放が防止されるべきであることを示す表示を提供する、請求項１に記載の方法。
【請求項３】
前記防止するステップは、前記アクセス階層無線ベアラを提供するアクセス階層から、前記関連する非アクセス階層ベアラを提供する非アクセス階層への、前記関連する非アクセス階層ベアラの解放を指示する指示の送信を防止するステップを含む、請求項１または２に記載の方法。
【請求項４】
前記修正するステップは、アクセス階層プロトコル層の再確立とリセットとのうちの一方により、前記アクセス階層無線ベアラを解放し、再確立するステップとを含む、請求項１に記載の方法。
【請求項５】
前記修正するステップは、
データ・パケットをフラッシュするための無線リンク制御レイヤの再確立と、
媒体アクセス制御レイヤのリセットと、
物理プロトコル層のリセットと、
を含む、請求項１乃至４のいずれか１項に記載の方法。
【請求項６】
前記アクセス階層無線ベアラの前記修正するステップ中に、前記関連する非アクセス階層ベアラの識別子を維持するステップを含む、請求項１乃至５のいずれか１項に記載の方法。
【請求項７】
アップデートされたセキュリティ特性を用いて、前記関連する非アクセス階層ベアラの前記識別子を、前記アクセス階層無線ベアラに関連付けるステップを含む、請求項６に記載の方法。
【請求項８】
前記トリガに応答して、
前記ユーザ機器によって正しく受信される最後のシーケンシャル・パケット・データ収束プロトコルのデータ・パケットについての表示と、
前記ユーザ機器によって受信されることに失敗したパケット・データ収束プロトコルのパケット・データ・ユニットについての表示と、
のうちの少なくとも一方を提供するステップを含む、請求項１乃至７のいずれか１項に記載の方法。
【請求項９】
アクセス階層無線ベアラの修正を指示するトリガを受信すると、関連する非アクセス階層ベアラの解放を防止し、前記トリガに応答して、アップデートされたセキュリティ特性を有する前記アクセス階層無線ベアラを修正するように動作可能なロジック
を備えており、
前記ロジックは、アップデートされたセキュリティ特性を用いてパケット・データ収束プロトコル層の再確立を引き起こすことにより修正するように動作可能であり、
前記パケット・データ収束プロトコル層の前記再確立は、パケット・データ収束プロトコルのデータ・パケットと、シーケンス番号とを維持する、ユーザ機器。
【請求項１０】
基地局の方法であって、
アクセス階層無線ベアラの修正を指示するトリガを受信すると、関連する非アクセス階層ベアラの解放を防止するステップと、
前記トリガに応答して、アップデートされたセキュリティ特性を有するように前記アクセス階層無線ベアラを修正するステップと、
を含み、
前記修正するステップは、アップデートされたセキュリティ特性を用いたパケット・データ収束プロトコル層の再確立を含み、
前記パケット・データ収束プロトコル層の前記再確立は、パケット・データ収束プロトコルのデータ・パケットと、シーケンス番号とを維持する、方法。
【請求項１１】
アクセス階層無線ベアラの修正を指示するトリガを受信すると、関連する非アクセス階層ベアラの解放を防止し、前記トリガに応答して、アップデートされたセキュリティ特性を有するように前記アクセス階層無線ベアラを修正するように動作可能なロジック
を備えており、
前記ロジックは、アップデートされたセキュリティ特性を用いてパケット・データ収束プロトコル層の再確立により修正するように動作可能であり、
前記パケット・データ収束プロトコル層の前記再確立は、パケット・データ収束プロトコルのデータ・パケットと、シーケンス番号とを維持する、基地局。
【請求項１２】
コンピュータ上で実行されるとき、請求項１乃至８および請求項１０のいずれか１項に記載の方法ステップを実行するように動作可能なコンピュータ・プログラム。